(57)【要約】【課題】シンク内での掛け渡し寸法や掛け渡し受け部の形状が異なったときでも水切り棚の一部のみの変更で利用できるようにし、管理の容易化及び管理コストの低廉化を図り得る水切り棚を提供する。【解決手段】流し台１のシンク３内に水切り棚１０が配置される。水切り棚は、長手方向両端部に形成した支持部１１ａ，１１ｂを、それぞれシンク内の水平段部５ａ上又は流し台のシンク周縁の天板２上に載置してシンク内に掛け渡される受け枠１１と、受け枠に取り外し可能に支持される水切り棚本体１２とを備える。【選択図】図１
2015093103.tif 000002
【特許請求の範囲】
【請求項１】
流し台のシンク内に配置される水切り棚であって、
長手方向両端部に形成した支持部を、それぞれ前記シンク内の水平段部上又は流し台のシンク周縁の天板上に載置してシンク内に掛け渡される受け枠と、
この受け枠に取り外し可能に支持される水切り棚本体とを備えたことを特徴とする水切り棚。
【請求項２】
前記水切り棚本体は、線材を用いて底部及び側壁部を格子状に形成してなるかご状のものであり、前記受け枠に対し天地可逆にかつ取り外し可能に支持されるように設けられている請求項１記載の水切り棚。
【請求項３】
前記水切り棚本体は、底部に脚部を有している請求項２記載の水切り棚。
【請求項４】
前記水切り棚本体は、天地逆転状態で受け枠に支持されたとき、底部が流し台の天板と面一となるように設けられている請求項２又は３記載の水切り棚。
【発明の詳細な説明】
【技術分野】
【０００１】
本発明は、流し台のシンク内に配置される水切り棚に関する。
【背景技術】
【０００２】
従来から、この種の水切り棚としては、プレートからなるもの（特許文献１参照）、又は線材を用いて底部及び側壁部を格子状に形成してなるかご状のもの（特許文献２参照）などが知られている。いずれの種類でも、水切り棚は、長手方向両端部に形成した支持部（特許文献１の場合は膨出部）を、それぞれシンク内の水平段部上又は流し台のシンク周縁の天板上に載置してシンク内に掛け渡されるようになっている。
【先行技術文献】
【特許文献】
【０００３】
【特許文献１】特開２００４−３２１２４７号公報
【特許文献２】特開２００９−１０１０２６号公報
【発明の概要】
【発明が解決しようとする課題】
【０００４】
ところが、前記従来の水切り棚では、シンク内での掛け渡し寸法や掛け渡し受け部（つまりシンク内の水平段部又は流し台のシンク周縁の天板）の形状が異なると、その寸法や形状に合わせた水切り棚を準備する必要がある。このため、製造元では多数の水切り棚を保有する必要があり、その分管理コストが高くなるという問題がった。
【０００５】
本発明はかかる点に鑑み、その課題は、シンク内での掛け渡し寸法や掛け渡し受け部の形状が異なったときでも水切り棚の一部のみの変更で利用できるようにし、もって管理の容易化及び管理コストの低廉化を図り得る水切り棚を提供せんとするものである。
【課題を解決するための手段】
【０００６】
前記の課題を解決するため、本発明は、流し台のシンク内に配置される水切り棚として、長手方向両端部に形成した支持部を、それぞれ前記シンク内の水平段部上又は流し台のシンク周縁の天板上に載置してシンク内に掛け渡される受け枠と、この受け枠に取り外し可能に支持される水切り棚本体とを備える構成にする。
【０００７】
ここで、前記水切り棚本体は、線材を用いて底部及び側壁部を格子状に形成してなるかご状のものであり、前記受け枠に対し天地可逆にかつ取り外し可能に支持されるように設けることが好ましい。
【０００８】
また、前記水切り棚本体は、底部に脚部を有していることが好ましい。
【０００９】
さらに、前記水切り棚本体は、天地逆転状態で受け枠に支持されたとき、底部が流し台の天板と面一となるように設けることが好ましい。
【発明の効果】
【００１０】
本発明の水切り棚によれば、シンク内での掛け渡し寸法や掛け渡し受け部の形状が異なったときでも受け枠を変更するだけで、水切り棚本体をそのまま利用できるので、部品管理のスペースが狭くなるなど管理の容易化及び管理コストの低廉化を図ることができる。
【図面の簡単な説明】
【００１１】
【図１】図１は本発明の一実施形態に係る水切り棚を流し台のシンク内に配置した状態を流し台の手前側より見た斜視図である。
【図２】図２は前記水切り棚の水切り棚本体を受け枠に対し天地逆転状態に支持させた状態を流し台の手前側から見た斜視図である。
【図３】図３は前記水切り棚から水切り棚本体を取り外した状態を流し台の手前側から見た斜視図である。
【図４】図４は図２に示す水切り棚を流し台の奥側から見た斜視図である。
【図５】図５は水切り棚の通常使用状態を示す斜視図である。
【図６】図６は前記水切り棚の水切り棚本体を受け枠に対し天地逆転状態に支持させた状態を示す斜視図である。
【図７】図７は前記水切り棚から水切り棚本体を取り外した状態を示す斜視図である。
【図８】図８は別の実施形態を示す図６相当図である。
【発明を実施するための形態】
【００１２】
以下、本発明を実施するための形態である実施形態を図面に基づいて説明する。
【００１３】
図１ないし図４において、１は流し台であって、この流し台１の上面は、天板２により構成されている。天板２の中央部にはステンレス製のシンク３が取り付けられており、シンク３の奥側側壁面の左右両側にはそれぞれ手前側に膨出する膨出部４，５が形成され、各膨出部４，５の上面は、シンク３の左右方向（幅方向）に水平に比較的長く延びた水平段部４ａ，５ａを構成している。左側の水平段部４ａには水栓６が設けられており、シンク３の底面には排水口７が設けられている。
【００１４】
また、１０は本発明の一実施形態に係る水切り棚であって、この水切り棚１０は、流し台１のシンク３内の右側に配置されている。水切り棚１０は、図５ないし図７にも示すように、シンク３内に掛け渡される受け枠１１と、受け枠１１に取り外し可能に支持される水切り棚本体１２とを備えてなる。受け枠１１は、その長手方向両端部に形成した支持部１１ａ，１１ｂを、それぞれシンク３内の右側の水平段部５ａ上及び流し台１のシンク３手前側縁部の天板２上に載置してシンク３内に掛け渡される。
【００１５】
受け枠１１は、平面視で矩形状の主枠材１３と、主枠材１３の相対する長辺部１３ａ間に架設された２本の副枠材１４と、副枠材１４よりも主枠材１３の短辺部１３ｂ又は１３ｃ寄り位置で各々主枠材１３の長辺部１３ａ間に架設された２本の補助材１５とからなる。主枠材１３、副枠材１４及び補助材１５は、いずれもステンレス製でかつ断面形状が円形又は正方形の線材を用いたものである。
【００１６】
主枠材１３の奥側の短辺部１３ｂは、長辺部１３ａから水平に延びた状態に形成されていて、シンク３内の右側の水平段部５ａ上に載置される支持部１１ａを構成している。一方、主枠材１３の手前側の短辺部１３ｃは、長辺部１３ａとの間に長辺部１３ａから斜め上方に立ち上がる段差部１３ｄが形成されていて、流し台１のシンク３手前側縁部の天板２上に載置される支持部１１ｂを構成している。
【００１７】
各副枠材１４は、水平方向に一直線上に延びる水平直線部１４ａと、水平直線部１４ａの両端から垂直上方に延びる左右一対の垂直部１４ｂとからなる。各副枠材１４は、その各垂直部１４ｂの上端を各々主枠材１３の長辺部１３ａの内側に固着することで主枠材１３の長辺部１３ａ間に架設されている。
【００１８】
また、各補助材１５は、水平方向に一直線上に延びる水平直線部１５ａと、水平直線部１５ａの両端から垂直上方に延びる左右一対の垂直部１５ｂと、各垂直部１５ｂの上端から互いに離間する外側方向に延びる左右一対の水平部１５ｃとからなる。各補助材１５は、その各水平部１５ｃの外端部を各々主枠材１３の長辺部１３ａの下側に重ね合わせて固着することで主枠材１３の長辺部１３ａ間に架設されている。そして、図３及び図４に示す如く受け枠１１をシンク３内に掛け渡したとき、各補助材１５の水平直線部１５ａ及び垂直部１５ｂがシンク３内の右側の膨出部５の壁面又はシンク３の手前側壁面に当接又は近接して受け枠１１のシンク３内での前後移動を規制する。
【００１９】
水切り棚本体１２は、ステンレス製でかつ断面形状が円形又は正方形の線材を用いて底部１２ａ及び側壁部１２ｂを格子状に形成してなるかご状のものである。側壁部１２ｂの高さ方向中間部には、水切り棚本体１２の他の部位を構成する線材よりも断面積が大きい線材を用いてなる主枠材１６が側壁部１２ｂの最も外側に位置して設けられている。そして、水切り棚本体１２は、前記受け枠１１に対し、図５に示す如く底部１２ａを下側にして主枠材１６を受け枠１１の主枠材１３上に重ね合わせて載置することで取り外し可能に支持される。また、水切り棚本体１２は、図６に示す如く底部１２ａを上側にして、つまり天地逆転状態にして主枠材１６を受け枠１１の主枠材１３上に重ね合わせて載置することで取り外し可能に支持される。さらに、水切り棚本体１２は、天地逆転状態で受け枠１１に支持されたとき（図４参照）、水切り棚本体１２の底部１２ａが流し台１の天板２と面一となるように側壁部１２ｂの高さ寸法や側壁部１２ｂでの主枠材１６の位置などが設定されている。
【００２０】
次に、前記実施形態の作用効果を説明する。水切り棚１０は、支持部１１ａ，１１ｂをそれぞれシンク３内の水平段部５ａ上及び流し台１のシンク３手前側縁部の天板２上に載置してシンク３内に掛け渡される受け枠１１と、受け枠１１に取外し可能に支持される水切り棚本体１２とで構成されている。このため、シンク３内での掛け渡し寸法や掛け渡し受け部の形状が異なったときでも受け枠１１を変更するだけで、水切り棚本体１２をそのまま利用することができる。その結果、従来の如く多種の水切り棚を保有する場合に比べて部品管理のスペースを狭くすることができるなど、管理の容易化及び管理コストの低廉化を図ることができる。
【００２１】
特に、本実施形態の場合、水切り棚本体１２は、線材を用いて底部１２ａ及び側壁部１２ｂを格子状に形成してなるかご状のものであり、受け枠１１に対し天地可逆にかつ取り外し可能に支持されるように設けられている。このため、水切り棚本体１２を２種類の使い方で使用することができ、使い勝手を高めることができる。
【００２２】
その上、水切り棚本体１２は、天地逆転状態で受け枠１１に支持されたとき（図４参照）、水切り棚本体１２の底部１２ａが流し台１の天板２と面一となるように設けられている。このため、シンク３内の水切り棚本体１２の底部１２ａと流し台１の天板２との間に跨がってまな板を配置することができ、使い勝手をより高めることができる。
【００２３】
尚、本発明は前記実施形態に限定されるものではなく、その他種々の形態を包含するものである。例えば前記実施形態では、水切り棚本体１２の底部１２ａを流し台１の天板２上に載置して食器かごとして使用する場合、安定性に欠けるという問題がある。それ故、本発明は、水切り棚本体１２の底部１２ａの四隅に、例えば図８に示すように底部１２ａを構成する線材を凸状に折り曲げて脚部２１を形成するように構成することが、食器かごとして使用する場合の安定性を確保しかつ水切りを可能とする上で好ましい。
【００２４】
また、前記実施形態では、受け枠１１の長手方向両端部に形成した支持部１１ａ，１１ｂを、各々シンク３の水平段部５ａ上及び流し台１のシンク３手前の天板２上に載置してシンク３内に受け枠１１を掛け渡す場合について述べたが、本発明はこの場合に限らない。例えば、受け枠の長手方向両端部に形成した支持部を、それぞれシンク３内の水平段部上又は流し台１のシンク３周縁の天板２上に載置してシンク３内に受け枠を掛け渡す場合のいずれにも同様に適用することができる。
【００２５】
さらに、前記実施形態では、水切り棚本体１２が線材を用いて底部１２ａ及び側壁部１２ｂを格子状に形成してなるかご状のものの場合について述べたが、本発明は、この場合に限らず、水切り棚本体が複数の水切り孔を有するプレート状のものの場合でもよい。
【符号の説明】
【００２６】
１    流し台
２    天板
３    シンク
５ａ  水平段部
１０    水切り棚
１１    受け枠
１１ａ，１１ｂ    支持部
１２    水切り棚本体
１２ａ  底部
１２ｂ  側壁部
２１    脚部
【図１】
2015093103.tif 000003
【図２】
2015093103.tif 000004
【図３】
2015093103.tif 000005
【図４】
2015093103.tif 000006
【図５】
2015093103.tif 000007
【図６】
2015093103.tif 000008
【図７】
2015093103.tif 000009
【図８】
2015093103.tif 000010